(57)【特許請求の範囲】
【請求項１】
太陽エネルギーを活用する機能パネルと、前記機能パネルにより得られるエネルギーを搬送する搬送手段とを備える太陽エネルギー利用装置を屋根に設置する構造であって、
前記機能パネルは、前記屋根の棟を挟んで傾斜した二つの屋根面のうちの少なくとも一方の屋根面に設置され、
前記棟を包む棟包部材には前記機能パネルを固定する固定金具が設けられ、
前記固定金具は、前記棟を挟んで前記二つの屋根面に固定可能な一対の屋根面固定部と、前記機能パネルを固定可能なパネル固定部と、前記棟包部材に被冠可能な被冠部とを有し、
前記搬送手段は、前記棟包部材の上方に配置されるとともに、カバー部材により覆われてなることを特徴とする太陽エネルギー利用装置の設置構造。
【請求項２】
前記棟包部材は、少なくとも一部に換気機能を有する換気棟包部材を備えてなり、前記換気棟包部材にその換気機能を妨げることなく前記被冠部を被冠してなることを特徴とする請求項１に記載の太陽エネルギー利用装置の設置構造。
【請求項３】
前記カバー部材は、少なくとも前記固定金具に固定されていることを特徴とする請求項１又は２に記載の太陽エネルギー利用装置の設置構造。
【請求項４】
前記カバー部材は、少なくとも前記機能パネルに固定されていることを特徴とする請求項１又は２に記載の太陽エネルギー利用装置の設置構造。
【請求項５】
前記カバー部材は、前記機能パネルの棟側端部の上面を覆うように設けられていることを特徴とする請求項１乃至４に記載の太陽エネルギー利用装置の設置構造。
【請求項６】
前記一方の屋根面に設置された機能パネルの上部は、前記棟の上方を超えて他方の屋根面の上方に突出して配置され、前記搬送手段は前記機能パネルの前記上部の下方に配置されていることを特徴とする請求項１乃至５のいずれか一項に記載の太陽エネルギー利用装置の設置構造。
【発明の詳細な説明】
【技術分野】
【０００１】
本発明は、太陽エネルギー利用装置の設置構造に関する。より詳しくは、太陽エネルギーを活用する機能パネルと、機能パネルにより得られるエネルギーを搬送する搬送手段とを備える太陽エネルギー利用装置を屋根に設置する構造に関する。
【背景技術】
【０００２】
従来、太陽熱収集パネルや太陽電池パネルなどの機能パネルが住宅などの建物の屋根に設置されている。
【０００３】
例えば、特許文献１には、下り棟及び大棟に沿って設けられる太陽熱収集器が笠状に形成された太陽光利用屋根が記載されている。また、特許文献２には、太陽光発電パネル又は太陽電池モジュールを支持する架台の取り付け固定方法が記載されており、棟頂部金具により２枚の格子状構造体を連結してなる架台を屋根上に配置するにあたって、棟頂部金具は格子状構造体を棟頂部から離れた状態で連結することが記載されている。
【先行技術文献】
【特許文献】
【０００４】
【特許文献１】特許第３５９３２９０号公報
【特許文献２】特許第５１７２０３９号公報
【発明の概要】
【発明が解決しようとする課題】
【０００５】
上記のように機能パネルを屋根に設置した場合、機能パネルで生じたエネルギーを搬送するための搬送手段を屋根に設置する必要がある。例えば、機能パネルとして太陽熱収集器を設置した場合は、熱エネルギーが貯められた水などの熱媒を流通させるための配管を屋根に設置する必要がある。また機能パネルとして太陽光発電パネルを設置した場合は、電気エネルギーを伝送するための配線を屋根に設置する必要がある。そして、このような配管や配線などの搬送手段を屋根に設置すると、搬送手段が目立ってしまい、屋根の外観が低下することがあった。
【０００６】
本発明は上記の点に鑑みてなされたものであり、屋根の外観低下が生じにくい太陽エネルギー利用装置の設置構造を提供することを目的とするものである。
【課題を解決するための手段】
【０００７】
本発明に係る太陽エネルギー利用装置の設置構造は、太陽エネルギーを活用する機能パネルと、前記機能パネルにより得られるエネルギーを搬送する搬送手段とを備える太陽エネルギー利用装置を屋根に設置する構造であって、前記機能パネルは、前記屋根の棟を挟んで傾斜した二つの屋根面のうちの少なくとも一方の屋根面に設置され、前記棟を包む棟包部材には前記機能パネルを固定する固定金具が設けられ、前記固定金具は、前記棟を挟んで前記二つの屋根面に固定可能な一対の屋根面固定部と、前記機能パネルを固定可能なパネル固定部と、前記棟包部材に被冠可能な被冠部とを有し、前記搬送手段は、前記棟包部材の上方に配置されるとともに、カバー部材により覆われてなることを特徴とする。
【発明の効果】
【０００８】
本発明では、搬送手段は、棟包部材の上方に配置されるとともに、カバー部材により覆われているので、カバー部材で搬送手段を隠蔽することができ、搬送手段が目立ちにくくなって屋根の外観低下が生じにくい。
【図面の簡単な説明】
【０００９】
【図１】図１は、本発明の実施の形態の一例を示す斜視図である。
【図２】図２は、同上の屋根の平面図である。
【図３】図３は、同上の屋根の棟の一例を示す一部の斜視図である。
【図４】図４は、同上の屋根の頂部の一例を示す一部の斜視図である。
【図５】図５は、同上の屋根の換気棟の一例を示す断面図である。
【図６】図６は、同上の固定金具の一例を示す斜視図である。
【図７】図７は、同上の屋根の非換気部分の一例を示す断面図である。
【図８】図８は、スペーサの一例を示す斜視図である。
【図９】図９は、本発明の実施の形態の一例を示す断面図である。
【図１０】図１０は、本発明の実施の形態の他の一例を示す断面図である。
【図１１】図１１は、本発明の実施の形態の他の一例を示す断面図である。
【図１２】図１２は、本発明の実施の形態の他の一例を示す断面図である。
【図１３】図１３は、本発明の実施の形態の他の一例を示す断面図である。
【図１４】図１４は、本発明の実施の形態の他の一例を示す断面図である。
【発明を実施するための形態】
【００１０】
以下、本発明を実施するための形態を説明する。
【００１１】
本実施の形態において、太陽エネルギー利用装置は、太陽エネルギーを活用する機能パネル２と、機能パネル２により得られるエネルギーを搬送する搬送手段１００とを備える。
【００１２】
図１は、機能パネル２を設置した屋根１の一例を示している。屋根１は棟（大棟）を有するものであればよく、例えば、妻切屋根、寄棟屋根、入母屋屋根などが挙げられる。屋根１の屋根頂部３には棟包部材４が設けられている。棟包部材４は屋根１の棟を上方から包むように覆って設けられている。棟包部材４は屋根頂部３の稜線５の長手方向において屋根頂部３の略全長にわたって設けられている。ここで「略全長」とは、全長と、全長よりもわずかに短い長さとを含む概念である。
【００１３】
機能パネル２は太陽エネルギーを活用するものである。機能パネル２としては、太陽熱を収集して水などの熱媒を温める太陽熱収集パネルや、太陽光の照射により発電する太陽電池パネルなどが例示される。機能パネル２は平板状に形成され、機能パネル２の機能（熱媒を温めたり発電したりする機能）が発現されるパネル本体６と、パネル本体６の周囲に設けられる枠体７とを備えて形成されている。
【００１４】
図１では、複数の機能パネル２が屋根１の屋根面８に設置されている。屋根１には屋根頂部３の両側に第一の屋根面８と第二の屋根面１８とが形成されている。第一の屋根面８と第二の屋根面１８は傾斜面であって、それぞれ屋根頂部３から屋根１の軒に向かって下り傾斜するように形成されている。図１においては、機能パネル２は二つの屋根面８、１８のうち、一方の第一の屋根面８に設置されている。また、これに限られず、機能パネル２は二つの屋根面８、１８のうち、他方の第二の屋根面１８に設置されてもよいし、あるいは第一の屋根面８と第二の屋根面１８の両方に設置されていてもよい。
【００１５】
複数の機能パネル２は屋根頂部３の稜線５の長手方向と略平行に並んで設置されている。ここで「略平行」とは、平行と、平行よりもわずかに外れた状態とを含む概念である。また機能パネル２は棟包部材４に近接して設置されている。すなわち、機能パネル２は棟包部材４と接して設置されるか、あるいは機能パネル２は棟包部材４と接していなくてもわずかな隙間を介して設置されている。このように機能パネル２は棟包部材４に近接して設けられ、屋根１の軒側の方に大きく突出しないようにして設けられている。従って、機能パネル２よりも軒側において、屋根面８に機能パネル２が設置されていない広い空きスペースが確保され、この空きスペースを有効に利用することが可能となる。例えば、機能パネル２として太陽熱収集パネルが用いられる場合は、機能パネル２よりも軒側の空きスペースに太陽熱収集パネルとは異なる他の機能パネル（太陽電池パネルなど）を設置することが可能となる。また空きスペースおける屋根面８が太陽電池付きの屋根材９で形成される場合は、空きスペースにおいて発電が可能となる。尚、屋根材９は太陽電池付きのものだけでなく、通常の瓦や窯業系材料で形成される平板状の屋根材などが使用可能である。
【００１６】
図２には、屋根頂部３の一部の平面図が示されている。屋根頂部３には複数の棟包部材４が設けられている。複数の棟包部材４の少なくとも一部は、換気機能を有する換気棟包部材１０で形成され、棟包部材４の少なくとも一部は、換気機能を有さない非換気棟包部材１１で形成されている。図２においては、換気棟包部材１０の長手方向の両側に隣接して非換気棟包部材１１が設けられている。屋根１の棟は、換気棟包部材１０の箇所で換気可能な換気棟として形成されている。
【００１７】
棟包部材４には固定金具１２と固定具１５が設けられており、固定金具１２と固定具１５により機能パネル２の棟側端部が棟包部材４に固定されている。機能パネル２の棟側端部は、屋根面８に設置された機能パネル２において、屋根１の傾斜方向で上端部となる端部である。換気棟包部材１０には、ベース部材１３とパネル固定部１４とからなる固定金具１２が設けられている。非換気棟包部材１１には、固定具１５が設けられている。パネル固定部１４と固定具１５は同一のものが用いられる。
【００１８】
図３には、屋根１の棟部分の一部の斜視図が示されている。棟木１６には複数の垂木１７の上端部が載置されて固定されている。複数の垂木１７は棟木１６の長手方向に沿って所定の間隔を介して並んで配置されている。また各垂木１７は棟木１６の両側（棟木１６の長手方向に直交する方向）に斜め下方に突出するように設けられている。垂木１７の上には野地板などの屋根下地１９が設けられている。屋根下地１９の上面は棟木１６の両側において斜め下方に傾斜するように形成されている。屋根下地１９の上面には多数の屋根材９が設けられている。これら多数の屋根材９の上面により第一の屋根面８と第二の屋根面１８が形成されている。第一の屋根面８と第二の屋根面１８の交差部分が屋根１の棟２０として形成されている。第一の屋根面８と第二の屋根面１８は棟２０を挟んで屋根１の軒側に向かって傾斜するように形成されている。従って、棟２０は略山型に形成されている。
【００１９】
棟２０には通気路２１が形成されている。通気路２１は棟２０の長手方向と略平行に長く形成されている。また通気路２１は第一の屋根面８と第二の屋根面１８とに跨がるように形成されている。通気路２１は棟２０の箇所で屋根材９と屋根下地１９とを貫通して形成されている。従って、通気路２１の上端は第一の屋根面８と第二の屋根面１８とに開口して形成され、通気路２１の下端は屋根下地１９の下面（屋根裏の面）に開口して形成されている。また棟２０には水切り部材２２が設けられている。水切り部材２２は金属薄板などの成形品であって、通気路２１の上端の開口にほぼ沿うように四角枠状に形成されている。水切り部材２２は通気路２１の上端の開口からの雨水の侵入を低減するものである。
【００２０】
また棟２０を挟む第一の屋根面８と第二の屋根面１８には笠木２３が設けられている。笠木２３は木製角材などで形成され、棟２０の長手方向（屋根頂部３の稜線５の長手方向と同じ）と略平行に長く形成されている。笠木２３は棟２０の近傍位置に設けられている。また笠木２３は、棟２０の長手方向において、通気路２１の上端の開口の両側に設けられている。
【００２１】
そして、図４のように、棟包部材４は棟２０を跨ぐように第一の屋根面８と第二の屋根面１８とにわたって配置され、第一の屋根面８と第二の屋根面１８とに固定される。棟２０は棟包部材４により上方から覆われる。また棟包部材４により屋根頂部３が形成される。ここで、棟包部材４のうち、換気棟包部材１０は通気路２１の上方に設けられ、非換気棟包部材１１は笠木２３の上方に設けられる。従って、図４のものでは、屋根頂部３の稜線５の長手方向において、換気棟包部材１０の両側に非換気棟包部材１１が隣接して設けられている。このようにして換気棟により換気機能を有する屋根１が形成される。換気棟包部材１０にはベース部材１３とパネル固定部１４とからなる複数の固定金具１２が設けられる。また非換気棟包部材１１には、複数の固定具１５が設けられている。固定金具１２及び固定具１５は稜線５の長手方向に沿って所定の間隔を介して並べて設けられている。
【００２２】
図５は、換気棟包部材１０が設けられた箇所における屋根１の一部の断面図である。換気棟包部材１０は金属薄板などを曲げ加工するなどして形成される成形品であって、上部材２４と第一の下部材２５と第二の下部材２６とを一体化して形成されている。上部材２４は幅方向（棟２０の長手方向と直交する水平方向）の中央部が上方に突出するように屈曲されており、上部材２４は断面略山型に形成されている。略山型の上部材２４の頂部により稜線５が形成されている。上部材２４の幅方向の両端部のうち、第一の屋根面８側の端部には第一の側壁部２７が設けられている。第一の側壁部２７は上部材２４の裏面側に突出して形成されている。上部材２４の幅方向の両端部のうち、第二の屋根面１８側の端部には第二の側壁部２８が設けられている。第二の側壁部２８は上部材２４の裏面側に突出して形成されている。第一の側壁部２７と第二の側壁部２８には換気口２９が設けられている。換気口２９は換気棟包部材１０の長手方向に所定の間隔を介して複数個設けられている。第一の下部材２５は上部材２４の稜線５よりも第一の屋根面８側の下方に配置されている。第一の下部材２５には第一の側壁部２７よりも外側に突出する第一の固定片３０が設けられている。第二の下部材２６は上部材２４の稜線５よりも第二の屋根面１８側の下方に配置されている。第二の下部材２６には第二の側壁部２８よりも外側に突出する第二の固定片３１が設けられている。上部材２４と第一の下部材２５の間及び上部材２４と第二の下部材２６の間には通気空間３２が設けられている。通気空間３２は上部材２４の幅方向の中央部の下方と換気口２９とに連通している。上部材２４の下面及び第一の下部材２５の上面及び第二の下部材２６の上面には複数の邪魔板３３が突出して設けられている。この邪魔板３３により通気空間３２がジグザグに形成されている。
【００２３】
第一の下部材２５は棟２０に近接して第一の屋根面８の上面に載置され、第一の固定片３０がビス等の固定手段で屋根材９や屋根下地１９に固定される。また第二の下部材２６が棟２０に近接して第二の屋根面１８の上面に載置され、第二の固定片３１がビス等の固定手段で屋根材９や屋根下地１９に固定される。このようにして換気棟包部材１０が棟２０を跨ぐようにして屋根１に設けられる。そして、通気路２１と通気空間３２と換気口２９とを通じて屋内（屋根裏空間）と屋外との間で空気が出入りすることにより、屋内の換気が行われる。ここで、通気空間３２は邪魔板３３によりジグザグに形成されているので、換気口２９から吹き込んだ雨水が通気路２１にまで到達しにくくなっている。
【００２４】
図６には、ベース部材１３とパネル固定部１４とからなる固定金具１２が示されている。ベース部材１３は帯状の金属薄板などを曲げ加工するなどして形成される成形品であって、短尺の帯状体で形成されている。ベース部材１３は換気棟包部材１０に被冠される被冠部３４と、棟２０を挟んで位置する二つの屋根面８、１８に固定される一対の屋根面固定部３５、４２とを有している。被冠部３４の断面形状は換気棟包部材１０の上部材２４の断面形状と略同一に形成されている。被冠部３４は上片部３６とその両端に設けられた第一の側片３７と第二の側片３８とで形成されている。上片部３６の長手方向の略中央部には上方に突出する屈曲部３９が形成されている。上片部３６の上面は屈曲部３９から両側端に向かって下り傾斜するように形成されている。上片部３６の上面の傾斜角度は屈曲部３９で上片部３６の折り曲げ度合いにより調整可能に形成されている。上片部３６には屈曲部３９を挟む両側の位置に第一の固定孔４０と第二の固定孔４１が設けられている。第一の側片３７と第二の側片３８は上片部３６の裏面側に略垂直に突出して形成されている。第一の側片３７の下端には第一の屋根面固定部３５が外側に突出するように形成されている。第二の側片３８の下端には第二の屋根面固定部４２が外側に突出するように形成されている。
【００２５】
パネル固定部１４は金属成形品等で形成され、断面略下向きコ字状の本体部４３と結合片４４とを備えている。本体部４３の一端には内側に突出する押さえ部４５が設けられている。本体部４３の他端には結合片４４が外側に突出して形成されている。結合片４４には厚み方向に貫通する固着孔４６が設けられている。
【００２６】
そして、図５のように、被冠部３４が換気棟包部材１０に被冠されることにより、ベース部材１３が換気棟包部材１０の上に設けられる。また第一の屋根面固定部３５が第一の屋根面８に載置され、ビス等の固定手段４７で屋根材９や屋根下地１９に固定される。また第二の屋根面固定部４２が第二の屋根面１８に載置され、ビス等の固定手段４８で屋根材９や屋根下地１９に固定される。ここで、換気棟包部材１０の換気口２９が第一の側片３７や第二の側片３８で閉塞されないように、換気棟包部材１０に対するベース部材１３の取り付け位置が調整される。これにより、換気棟包部材１０の換気機能を妨げることがなくなる。
【００２７】
パネル固定部１４は屈曲部３９よりも第一の屋根面８側において被冠部３４の上に設けられる。この場合、結合片４４の固着孔４６とベース部材１３の第一の固定孔４０とを位置合わせし、固着孔４６と第一の固定孔４０に設けたボルト及びナットなどの締結具９８で結合片４４と被冠部３４とが結合される。尚、第二の屋根面１８に機能パネル２を設置する場合は、パネル固定部１４は屈曲部３９よりも第二の屋根面１８側に取り付けられ、第二の固定孔４１を利用してパネル固定部１４は被冠部３４の上に設けられる。
【００２８】
そして、機能パネル２はその棟側端部（上端部）がパネル固定部１４により固定される。すなわち、機能パネル２の棟側端面において枠体７の外面には係止突起部４９が設けられており、この係止突起部４９が押さえ部４５と被冠部３４の間で挟持される。また機能パネル２の棟側端部が第一の屋根面８側の被冠部３４の上面に載置される。このようにして機能パネル２の棟側端部が固定金具１２を介して換気棟包部材１０に近接して設けられる。ここで、機能パネル２の下面は屋根下地１９の上面と平行になることが好ましい。従って、屈曲部３９で上片部３６の上面の傾斜角度を調整することにより、上片部３６の上面に載置される機能パネル２の傾斜角度を調整し、機能パネル２の下面と屋根下地１９の上面とが平行になるようにする。
【００２９】
図７は、非換気棟包部材１１が設けられた箇所における屋根１の一部の断面図である。非換気棟包部材１１は金属薄板などを曲げ加工するなどして形成される成形品であって、上板部５０と一対の側板部５１，５２と一対の取付部５３，５４とを備えて形成されている。上板部５０は幅方向（棟２０の長手方向と直交する水平方向）の中央部が上方に突出するように屈曲されており、上板部５０は断面略山型に形成されている。略山型の上板部５０の頂部により稜線５が形成されている。上板部５０の幅方向の両端部のうち、第一の屋根面８側の端部には第一の側板部５１が設けられている。第一の側板部５１は上板部５０の裏面側に突出して形成されている。上板部５０の幅方向の両端部のうち、第二の屋根面１８側の端部には第二の側板部５２が設けられている。第二の側板部５２は上板部５０の裏面側に突出して形成されている。第一の側板部５１の下端には外側に突出する第一の取付部５３が設けられている。第二の側板部５２の下端には外側に突出する第二の取付部５４が設けられている。
【００３０】
そして、上板部５０の下面が笠木２３の上面に載置され、側板部５１，５２で笠木２３の外側面が覆われ、第一の取付部５３が第一の屋根面８の上面に載置され、第二の取付部５４が第二の屋根面１８の上面に載置され、第一の取付部５３がビス等の固定手段で屋根材９や屋根下地１９に固定され、第二の取付部５４がビス等の固定手段で屋根材９や屋根下地１９に固定される。このようにして非換気棟包部材１１が棟２０を跨いで屋根１に設けられる。
【００３１】
固定具１５はパネル固定部１４と同様に形成されている。固定具１５は非換気棟包部材１１の頂部（稜線５）よりも第一の屋根面８側において上板部５０の上に設けられる。図７に示すように、固定具１５と非換気棟包部材１１の上面との間にスペーサ６７が設けられている。スペーサ６７は、図８のように、台座部６８と、台座部６８の両側に突出する支持片６９とを備えて形成されている。台座部６８の上面は先端に向かって下り傾斜するように形成されている。また。台座部６８の後部には締結孔７０が設けられている。そして、図７のように、ビスなどの固定手段７１を支持片６９から笠木２３や屋根材９までねじ込むことにより、スペーサ６７は上板部５０の第一の屋根面８側の上面に固定されている。機能パネル２の棟側端部は台座部６８の先端側の上面に載置されている。また固定具１５は結合片４４の固着孔４６とスペーサ６７の締結孔７０とを位置合わせし、固着孔４６と締結孔７０に設けたボルト及びナットなどの締結具７２で結合片４４と台座部６８とが結合される。このようにして固定具１５はスペーサ６７に固定されている。
【００３２】
そして、機能パネル２の棟側端面において枠体７の外面には係止突起部４９が設けられており、この係止突起部４９が押さえ部４５と台座部６８の間で挟持される。また機能パネル２の棟側端部が台座部６８の上面に載置される。このようにして機能パネル２の棟側端部が固定具１５を介して非換気棟包部材１１に近接して設けられる。
【００３３】
このようにスペーサ６７を用いた場合は、機能パネル２の棟側端部が台座部６８の上面の傾斜によって角度調整される。従って、機能パネル２が屋根下地１９と略平行となるように、機能パネル２を角度調整して設置することができる。スペーサ６７は必要に応じて用いられるものであり、機能パネル２の角度調整が不要な場合は使用しなくても良い。この場合は、機能パネル２の棟側端部は非換気棟包部材１１の上面に載置される。
【００３４】
上記のようにして棟包部材４（換気棟包部材１０及び非換気棟包部材１１）に設けた固定金具１２及び固定具１５に機能パネル２を固定した後、搬送手段１００が設置される。機能パネル２が太陽熱収集パネルである場合には、搬送手段１００は熱エネルギーが貯められた熱媒（水など）を搬送するための配管で形成されている。また機能パネル２が太陽光発電パネルである場合には、搬送手段１００は電気エネルギーを搬送するための配線で形成されている。搬送手段１００は屋根頂部３の長手方向（棟２０の長手方向）の略全長にわたって配設されている。また搬送手段１００を覆って隠蔽するカバー部材１０１も屋根頂部３の長手方向（棟２０の長手方向）の略全長にわたって配設されている。
【００３５】
図９は換気棟包部材１０が設けられた箇所における屋根１の一部の断面図である。搬送手段１００は、稜線５よりも第二の屋根面１８側において、換気棟包部材１０の上部材２４の上方及びベース部材１３の被冠部３４の上方に配置されている。このように搬送手段１００は、稜線５を挟んでパネル固定部１４を設けた方と反対側の位置において棟包部材４（換気棟包部材１０）の上方に配置される。
【００３６】
カバー部材１０１は、金属薄板の成形品などで形成されている。カバー部材１０１は、上固定片１０２と、上覆い片１０３と、横覆い片１０４と、下固定片１０５とを備えて形成されている。上固定片１０２と上覆い片１０３とは略山型となるように連続して形成されている。上固定片１０２の先端部は連結部１０６として形成されている。横覆い片１０４は上覆い片１０３の端部から裏面側に略垂直に突出して形成されている。横覆い片１０４には厚み方向に貫通するカバー開口部１０７が設けられている。下固定片１０５は横覆い片１０４の下端から外側に略垂直に突出して形成されている。
【００３７】
カバー部材１０１は、パネル固定部１４と搬送手段１００と第二の屋根面固定部４２などを覆うようにして配設される。このとき、上固定片１０２はパネル固定部１４の上方に位置している。連結部１０６は本体部４３の上面に載置され、ビスなどの固定手段１０８でパネル固定部１４の本体部４３に固定される。また上覆い片１０３は搬送手段１００の上方に位置している。横覆い片１０４は第二の側片３８の外方に位置している。カバー開口部１０７は換気口２９に対向するように配置され、換気機能が損なわれないようにしている。下固定片１０５は第二の屋根面固定部４２の上方に位置し、ビスなどの固定手段１０９により、第二の屋根面１８において、第二の屋根面固定部４２や屋根材９や屋根下地１９に固定される。
【００３８】
図１０は非換気棟包部材１１が設けられた箇所における屋根１の一部の断面図である。搬送手段１００は、稜線５よりも第二の屋根面１８側において、非換気棟包部材１１の上板部５０の上方に配置されている。このように搬送手段１００は、稜線５を挟んで固定具１５を設けた方と反対側の位置において棟包部材４（非換気棟包部材１１）の上方に配置される。
【００３９】
カバー部材１０１は上記と同様に、上固定片１０２と、上覆い片１０３と、横覆い片１０４とを備えて形成されているが、下固定片１０５が設けられていない。カバー部材１０１は、固定具１５と搬送手段１００などを覆うようにして配設される。このとき、上固定片１０２は固定具１５の上方に位置している。連結部１０６は固定具１５の本体部４３の上面に載置され、ビスなどの固定手段１１１で固定具１５の本体部４３に固定される。また上覆い片１０３は搬送手段１００の上方に位置している。横覆い片１０４は第二の側板部５２の外方に位置している。横覆い片１０４の下端は第二の側板部５２に、ビスなどの固定手段１１２により固定される。
【００４０】
このようにしてカバー部材１０１を配置することにより、搬送手段１００を全長にわたって覆って隠蔽することができる。
【００４１】
図１１は、上記カバー部材１０１と異なる他のカバー部材１１３を用いた例を示し、換気棟包部材１０が設けられた箇所における屋根１の一部の断面図である。カバー部材１１３は上記カバー部材１０１に比べて、高さ寸法が大きく形成されているが、その他の構成は同じである。そして、カバー部材１１３は、パネル固定部１４と搬送手段１００と第二の屋根面固定部４２などを覆うようにして配設される。このとき、上固定片１０２はパネル固定部１４の上方及び機能パネル２の棟側端部の上方に位置している。連結部１０６は機能パネル２の棟側端部の上面に載置されて固定される。また上覆い片１０３は搬送手段１００の上方に位置している。横覆い片１０４は第二の側片３８の外方に位置している。カバー開口部１０７は換気口２９に対向するように配置され、換気機能が損なわれないようにしている。下固定片１０５は第二の屋根面固定部４２の上方に位置し、ビスなどの固定手段１０９により、第二の屋根面１８において、第二の屋根面固定部４２や屋根材９や屋根下地１９に固定される。
【００４２】
このようにしてカバー部材１１３を配置することにより、搬送手段１００を全長にわたって覆って隠蔽することができる。
【００４３】
図１２は、上記カバー部材１０１と異なる他のカバー部材１１４を用いた例を示し、換気棟包部材１０が設けられた箇所における屋根１の一部の断面図である。カバー部材１１４は、断面略コ字状の収納部１１５を有している。収納部１１５の前側開口１１６には収納部１１５の内側に突出する脱落防止片１１７が設けられている。収納部１１５の後面には取付片１３０が突設されている。
【００４４】
そして、カバー部材１１４は屋根頂部３の上方で屋根頂部３の長手方向と略平行に配置される。カバー部材１１４は取付片１３０がパネル固定部１４の本体部４３の上面に載置され、ビスなどの固定手段１０８で本体部４３に固定される。また収納部１１５はパネル固定部１４の結合片４４に載置されている。搬送手段１００は収納部１１５の内側に収納されている。このようにして搬送手段１００は、棟包部材４（換気棟包部材１０）の上方に配置される。脱落防止片１１７は前側開口１１６から搬送手段１００が脱落しないように、搬送手段１００に引っかかるなどしてその動きを抑制している。
【００４５】
このようにしてカバー部材１１４を配置することにより、搬送手段１００を全長にわたって覆って隠蔽することができる。
【００４６】
図１３は、上記カバー部材１０１と異なる他のカバー部材１１８を用いた例を示し、換気棟包部材１０が設けられた箇所における屋根１の一部の断面図である。カバー部材１１８は、上覆い片１１９と横覆い片１２０とで断面略Ｌ字状に形成されている。上覆い片１１９の先端部は連結部１２１が形成されている。横覆い片１２０には厚み方向に貫通するカバー開口部１２２が設けられている。
【００４７】
搬送手段１００は、第二の屋根面１８側において、換気棟包部材１０の第二の固定片３１の上方及びベース部材１３の第二の屋根面固定部４２の上方に配置されている。このように搬送手段１００は、稜線５を挟んでパネル固定部１４を設けた方と反対側の位置において棟包部材４（換気棟包部材１０）の上方に配置される。
【００４８】
連結部１２１は第二の屋根面１８側において、固定金具１２の被冠部３４の上面に載置され、ビスなどの固定手段１２３で被冠部３４に固定される。また上覆い片１１９は搬送手段１００の上方に位置している。横覆い片１２０は搬送手段１００の側方に位置している。カバー開口部１２２は換気口２９に対向するように配置され、換気機能が損なわれないようにしている。このようにしてカバー部材１１８を配置することにより、搬送手段１００を全長にわたって覆って隠蔽することができる。
【００４９】
図１４は、上記カバー部材１０１と異なる他のカバー部材１２４を用いた例を示し、換気棟包部材１０が設けられた箇所における屋根１の一部の断面図である。
【００５０】
第一の屋根面８に設置された機能パネル２の上部は、棟２０及び屋根頂部３の上方を超えて第二の屋根面１８の上方に突出して配置されている。機能パネル２はその裏面に係止部材１２５が設けられている。また固定金具１２の被冠部３４の上面には、屈曲部３９よりも第一の屋根面８側においてＺ字状のパネル固定部１２６が設けられている。そして、係止部材１２５がパネル固定部１２６に係止されることにより、機能パネル２が固定金具１２に固定されている。
【００５１】
搬送手段１００は、第二の屋根面１８側にある機能パネル２の上部の下方に配置されている。また搬送手段１００は、稜線５よりも第二の屋根面１８側において、換気棟包部材１０の上部材２４の上方及びベース部材１３の被冠部３４の上方に配置されている。このように搬送手段１００は、稜線５を挟んでパネル固定部１２６を設けた方と反対側の位置において棟包部材４（換気棟包部材１０）の上方に配置される。
【００５２】
カバー部材１２４は板状に形成されている。カバー部材１２４の上端部には連結部１２７が形成されている。そして、連結部１２７が機能パネル２の上端面にビス等の固定手段１２９で固定されている。このようにしてカバー部材１２４が搬送手段１００の側方に配置され、搬送手段１００を全長にわたって覆って隠蔽することができる。
【００５３】
以上で説明した太陽エネルギー利用装置の設置構造は、太陽エネルギーを活用する機能パネル２と、機能パネル２により得られるエネルギーを搬送する搬送手段１００とを備える太陽エネルギー利用装置を屋根１に設置する構造である。機能パネル２は、屋根１の棟２０を挟んで傾斜した二つの屋根面８，１８のうちの少なくとも一方の屋根面８に設置される。棟２０を包む棟包部材４には機能パネル２を固定する固定金具１２が設けられる。固定金具１２は、棟２０を挟んで二つの屋根面８，１８に固定可能な一対の屋根面固定部３５、４２と、機能パネル２を固定可能なパネル固定部１４と、棟包部材４に被冠可能な被冠部３４とを有している。搬送手段１００は、棟包部材４の上方に配置されるとともに、カバー部材（１０１、１１３、１１４、１１８、１２４）により覆われてなることを特徴とする。この場合、カバー部材（１０１、１１３、１１４、１１８、１２４）で搬送手段１００を隠蔽することができ、搬送手段１００が目立ちにくくなって屋根１の外観低下が生じにくいものである。
【００５４】
上記の太陽エネルギー利用装置の設置構造において、棟包部材４は、少なくとも一部に換気機能を有する換気棟包部材１０を備えてなり、換気棟包部材１０にその換気機能を妨げることなく被冠部３４を被冠してなることが好ましい。この場合、屋根１の換気機能が損なわれないようにすることができる。
【００５５】
また、上記の太陽エネルギー利用装置の設置構造において、カバー部材（１０１、１１３、１１４、１１８）は、少なくとも固定金具１２に固定されていることが好ましい。この場合、カバー部材（１０１、１１３、１１４、１１８）が配設しやすくなるものである。
【００５６】
また、上記の太陽エネルギー利用装置の設置構造において、カバー部材（１０１、１１３）は、少なくとも機能パネル２に固定されていることが好ましい。この場合、カバー部材（１０１、１１３）が配設しやすくなるものである。
【００５７】
また、上記の太陽エネルギー利用装置の設置構造において、カバー部材１１３は、機能パネル２の棟側端部の上面を覆うように設けられていることが好ましい。この場合、カバー部材１１３で機能パネル２の棟側端部を覆って保護することができるものである。
【００５８】
また、上記の太陽エネルギー利用装置の設置構造において、一方の屋根面８に設置された機能パネル２の上部は、棟２０の上方を超えて他方の屋根面８の上方に突出して配置される。搬送手段１００は機能パネル２の上部の下方に配置されていることが好ましい。この場合、機能パネル２の上部でも搬送手段１００を隠蔽することができ、搬送手段１００が目立ちにくくなって屋根１の外観低下が生じにくいものである。
【符号の説明】
【００５９】
１  屋根
２  機能パネル
４  棟包部材
８  屋根面
１０  換気棟包部材
１２  固定金具
１４  パネル固定部
１５  固定具
１８  屋根面
１９  屋根下地
２０  棟
３４  被冠部
３５  屋根固定部
４２  屋根面固定部
１０１  カバー部材
１１３  カバー部材
１１４  カバー部材
１１８  カバー部材
１２４  カバー部材
【図１】
0006334357.tif 000002
【図２】
0006334357.tif 000003
【図３】
0006334357.tif 000004
【図４】
0006334357.tif 000005
【図５】
0006334357.tif 000006
【図６】
0006334357.tif 000007
【図７】
0006334357.tif 000008
【図８】
0006334357.tif 000009
【図９】
0006334357.tif 000010
【図１０】
0006334357.tif 000011
【図１１】
0006334357.tif 000012
【図１２】
0006334357.tif 000013
【図１３】
0006334357.tif 000014
【図１４】
0006334357.tif 000015